(57)【要約】  キャップを有する容器で使用するためのオーバーキャップ装置。このオーバーキャップ装置は、外壁と、キャップ係合壁と、間隔保持壁と、を含む。キャップ係合壁は、キャップの外表面を着脱不能に係合してよく、間隔保持壁は、キャップの上面を係合してよい。キャップは、着脱可能に容器を係合してよい。
2018527263.tif 000002
【特許請求の範囲】
【請求項１】
容器及び閉止部システムであって、
内表面を有する頂壁と、
前記頂壁から下方に延在する外壁と、
前記頂壁の前記内表面から下方に延在するキャップ係合壁と、
前記頂壁の前記内表面から下方に延在する間隔保持壁と、を備えるオーバーキャップ装置と、
キャップと、
容器と、備え、
前記オーバーキャップ装置が前記キャップと係合し、前記キャップが前記容器と着脱可能に係合する、容器及び閉止部システム。
【請求項２】
前記オーバーキャップ装置が前記キャップと着脱不能に係合する、請求項１に記載のシステム。
【請求項３】
前記オーバーキャップ装置及び前記キャップが、圧入機構及びスナップ嵌め機構のうちの少なくとも１つを使用して着脱不能に係合する、請求項２に記載のシステム。
【請求項４】
前記キャップ係合壁が、前記外壁に対して内側かつ同心円状に位置付けられる、請求項１に記載のシステム。
【請求項５】
前記間隔保持壁が、前記キャップ係合壁に対して内側かつ同心円状に位置付けられる、請求項１に記載のシステム。
【請求項６】
前記容器が、容器本体と、容器首部と、を更に備え、前記外壁が前記容器本体を係合し、前記首部を被覆する、請求項１に記載のシステム。
【請求項７】
前記容器本体が凹部を含み、前記外壁が前記容器本体の前記凹部と係合して、前記外壁と前記容器本体との間に実質的に平滑な移行部を形成する、請求項１に記載のシステム。
【請求項８】
前記首部が、前記首部の前記外表面にねじ山を画定し、前記キャップが、前記キャップの内表面に対応するねじ山を画定する、請求項１に記載のシステム。
【請求項９】
前記頂壁が実質的に平面的な外表面を画定する、請求項１に記載のシステム。
【請求項１０】
前記オーバーキャップ装置及び前記キャップが一体構造ではない、請求項１に記載のシステム。
【請求項１１】
前記間隔保持壁が前記キャップの上表面と係合する、請求項１に記載のシステム。
【請求項１２】
前記外壁が環状である、請求項１に記載のシステム。
【請求項１３】
前記キャップ係合壁が環状である、請求項１に記載のシステム。
【請求項１４】
前記キャップ係合壁が複数の壁部を備える、請求項１に記載のシステム。
【請求項１５】
前記間隔保持壁が環状である、請求項１に記載のシステム。
【請求項１６】
前記間隔保持壁が複数の壁部を備える、請求項１に記載のシステム。
【請求項１７】
オーバーキャップ装置であって、
内表面を有する頂壁と、
前記頂壁から下方に延在する外壁と、
前記頂壁の内表面から下方に延在するキャップ係合壁であって、前記外壁に対して内側かつ同心円状に位置付けられる、キャップ係合壁と、
前記頂壁の前記内表面から下方に延在する間隔保持壁であって、前記キャップ係合壁に対して内側かつ同心円状に位置付けられる、間隔保持壁と、を備え、
前記オーバーキャップ装置が、圧入機構及びスナップ嵌め機構のうちの少なくとも１つを使用して容器キャップを着脱不能に係合するように構成されている、オーバーキャップ装置。
【請求項１８】
前記キャップ係合壁が複数の壁部を備える、請求項１７に記載のオーバーキャップ装置。
【請求項１９】
前記間隔保持壁が環状である、請求項１７に記載のオーバーキャップ装置。
【請求項２０】
前記間隔保持壁が複数の壁部を備える、請求項１７に記載のオーバーキャップ装置。
【請求項２１】
容器及び閉止部システムであって、
内表面を有する頂壁と、
前記頂壁から下方に延在する外壁と、
前記頂壁の内表面から下方に延在するキャップ係合壁であって、前記外壁に対して内側かつ同心円状に位置付けられる、キャップ係合壁と、
前記頂壁の前記内表面から下方に延在する間隔保持壁であって、前記キャップ係合壁に対して内側かつ同心円状に位置付けられる、間隔保持壁と、を備える、オーバーキャップ装置と、
キャップと、
容器本体と、容器首部と、を備える容器であって、前記外壁が前記容器本体を係合し、前記首部を被覆する容器と、を備え、
前記オーバーキャップ装置が前記キャップと着脱不能に係合し、前記キャップが容器と着脱可能に係合し、
前記容器本体が凹部を含み、前記外壁が前記容器本体の前記凹部と係合して、前記外壁と前記容器本体との間に実質的に平滑な移行部を形成し、
前記首部が、前記首部の前記外表面にねじ山を画定し、前記キャップが、前記キャップの内表面に対応するねじ山を画定し、
前記オーバーキャップ装置及び前記キャップが、圧入機構及びスナップ嵌め機構のうちの少なくとも１つを使用して着脱不能に係合し、
前記オーバーキャップ装置及び前記キャップが一体構造ではない、容器及び閉止部システム。
【発明の詳細な説明】
【技術分野】
【０００１】
本発明は、概ね容器向けの閉止部に関し、より具体的には、飲料容器向けの閉止部に関する。
【背景技術】
【０００２】
ガラス瓶及びプラスチック瓶向けには、多種の容器閉止部が存在している。ある種類の瓶閉止部は金属製キャップであり、これは、ガラス瓶の上部に圧着され、取り外しには栓抜きを必要とする。別の種類の瓶閉止部は、瓶首部にねじ込まれるキャップである。概ね、これらの瓶キャップは、瓶首部の上部と接触させ、瓶開口部を被覆することにより瓶開口部を密封する。一部のねじ式閉止部はまた、取り外し可能なタンパーエビデントリングを含んでよい。上記の瓶閉止部は、使い捨てであっても、再利用可能であってもよい。
【発明の概要】
【０００３】
一態様によると、容器及び閉止部システムを開示する。別の態様によると、オーバーキャップ装置を開示する。
【０００４】
別の態様によると、容器及び閉止部システムを開示する。このシステムは、内表面を有する頂壁と、頂壁から下方に延在する外壁と、頂壁の内表面から下向きに延在するキャップ係合壁と、頂壁の内表面から下向きに延在する間隔保持壁と、を含むオーバーキャップ装置を含む。このシステムはまた、キャップと、容器と、を含み、オーバーキャップ装置は、キャップと着脱不能に係合し、キャップは、容器と着脱可能に係合する。
【０００５】
キャップ係合壁は、外壁に対して内側かつ同心円状に位置付けられてよい。間隔保持壁は、キャップ係合壁に対して内側かつ同心円状に位置付けられてよい。
【０００６】
容器は、容器本体と、容器首部と、を含んでよく、オーバーキャップ装置の外壁は、容器本体と係合して首部を被覆してよい。容器本体はまた、凹部を含んでよく、外壁は容器本体の凹部と係合して、外壁と容器本体との間に実質的に平滑な移行部を形成する。
【０００７】
オーバーキャップ装置及びキャップは、圧入機構及びスナップ嵌め機構のうちの少なくとも１つを使用して着脱不能に係合してよい。オーバーキャップ装置及びキャップは、一体構造ではなくてよい。
【０００８】
別の態様では、オーバーキャップ装置を開示する。このオーバーキャップ装置は、内表面を有する頂壁と、頂壁から下方に延在する外壁と、頂壁の内表面から下方に延在するキャップ係合壁であって、外壁に対して内側かつ同心円状に位置付けられる、キャップ係合壁と、頂壁の内表面から下方に延在する間隔保持壁であって、キャップ係合壁に対して内側かつ同心円状に位置付けられる、間隔保持壁と、を含んでよい。オーバーキャップ装置は、圧入機構及びスナップ嵌め機構のうちの少なくとも１つを使用して容器キャップを着脱不能に係合するように構成されている。
【０００９】
別の態様では、容器及び閉止部システムが開示される。容器及び閉止部システムは、内表面を有する頂壁と、頂壁から下方に延在する外壁と、頂壁の内表面から下方に延在するキャップ係合壁であって、外壁に対して内側かつ同心円状に位置付けられる、キャップ係合壁と、頂壁の内表面から下方に延在する間隔保持壁であって、キャップ係合壁に対して内側かつ同心円状に位置付けられる、間隔保持壁と、を有するオーバーキャップ装置を含む。容器及び閉止部システムはまた、キャップと、容器本体及び容器首部を備える容器と、を含み、外壁は、容器本体を係合し、首部を被覆する。オーバーキャップ装置はキャップと着脱不能に係合し、キャップは容器と着脱可能に係合する。容器本体は凹部を含んでよく、外壁は容器本体の凹部と係合して、外壁と容器本体との間に実質的に平滑な移行部を形成する。首部は、首部の外表面にねじ山を画定してよく、キャップは、キャップの内表面に対応するねじ山を画定する。オーバーキャップ装置及びキャップは、圧入機構及びスナップ嵌め機構のうちの少なくとも１つを使用して着脱不能に係合する。オーバーキャップ装置及びキャップは、一体構造ではない。
【００１０】
本項目は、概念の抜粋を簡略して紹介するために提供されており、これについては後述の「発明を実施するための形態」で更に詳しく説明する。「発明の概要」は、特許請求された主題の主要な特徴又は本質的な特徴を識別することを意図するものでも、特許請求された主題の範囲を制限するために使用されることも意図していない。
【図面の簡単な説明】
【００１１】
【図１Ａ】本開示の態様によるオーバーキャップ装置の上面等角図である。
【００１２】
【図１Ｂ】図１Ａのオーバーキャップ装置の底面等角図である。
【００１３】
【図２Ａ】本開示の態様によるキャップの上面等角図である。
【００１４】
【図２Ｂ】図２Ａのキャップの底面等角図である。
【００１５】
【図３Ａ】本開示の態様による容器の等角図である。
【００１６】
【図３Ｂ】図３Ａの容器の正面図である。
【００１７】
【図４Ａ】本開示の態様による容器、キャップ、及びオーバーキャップ装置の正面断面図である。
【００１８】
【図４Ｂ】本開示の態様による容器、キャップ、及びオーバーキャップ装置の部分断面図である。
【発明を実施するための最良の形態】
【００１９】
本発明は、数多くの異なる形態での実施形態の余地があるが、本開示が、本発明の原理の例示とみなされるべきであり、また、本発明の幅広い態様を例示される実施形態に限定することを意図したものではないという理解の下で、本発明の例示的な実施形態が図面に示され、本明細書において詳細に説明される。本開示の範囲及び趣旨から逸脱することなく、他の実施形態を利用することができ、構造的変更及び機能的変更を行うことができることを理解されたい。
【００２０】
様々な実施形態の以下の説明において、その実施形態の一部を形成する添付図面が参照され、添付図面には、実例として、実践することができる本開示の様々な実施形態が示される。他の実施形態が利用され得ることを理解されたい。
【００２１】
本発明による様々な例示的な構造の以下の説明において、その実施形態の一部を形成する添付図面が参照され、添付図面には、実例として、本発明の態様を実践することができる様々な例示的なデバイス、システム、及び環境が示される。本発明の範囲から逸脱することなく、他の特定の部品の配置、例示的なデバイス、システム、及び環境を使用することができ、構造的及び機能的な変形を行うことができることを理解されたい。また、「上部」、「底部」、「正面」、「背面」、「側面」、「後部」、「上方」、「下方」、及び同類の用語は、本明細書において、本発明の様々な例示的な特徴及び要素を説明するために使用され得るが、これらの用語は、例えば図に示される例示的な配向又は典型的な使用中の配向に基づいて、本明細書において便宜上使用される。加えて、「複数」という用語は、本明細書で使用するときに、１を超える、必要に応じて分離的又は結合的に無限数までの任意の数を示す。本明細書におけるいずれの記載も、本発明の範囲に入るために構造の三次元配向を必要とするものと解釈されるべきではない。また、読者は、添付の図面が必ずしも一定の比率で描かれていないことに留意されたい。
【００２２】
一般に、本開示の態様は容器閉止部システムに関する。様々な態様及び実施形態によると、容器閉止部システムの構成要素は、本発明の範囲から逸脱することなく、ガラス、プラスチック、ポリマー、及び複合材料など各種の材料のうちの１つ以上で形成されてよく、各種の構成のうちの１つで形成することができる。
【００２３】
本出願における各種の図は、本開示による容器閉止部システムの例を示す。同じ参照番号が２つ以上の図面に現れるときに、その参照番号は、本明細書において一貫して使用され、その図面は、全体を通して同じ又は類似する部品を参照する。
【００２４】
図１Ａ及び１Ｂは、本開示の態様によるオーバーキャップ装置１００を示す。図２Ａ及び２Ｂは、本開示の態様によるキャップ２００を示す。オーバーキャップ装置１００は、キャップ２００と係合してよい。図３Ａ及び３Ｂは、本開示の態様による容器３００を示す。容器３００は、キャップ２００と係合してよい。図４Ａ及び４Ｂは、本開示の態様によるオーバーキャップ装置１００、キャップ２００、及び容器３００を含む容器及び閉止部システム４００の各種の図を示す。
【００２５】
図１Ａ及び１Ｂを参照すると、オーバーキャップ装置は、オーバーキャップ装置１００の上部に頂壁１０２を有してよい。頂壁１０２は、図１Ａ及び１Ｂに示すように概ね円形であってよく、内表面１０４と、外表面１０６と、を有してよい。しかしながら、他の実施形態では、頂壁１０２は、例えば、楕円形、正方形、八角形、六角形など他の形状を有してよい。頂壁１０２は、その外周において、頂壁１０２から概ね下方に延在する外壁１０８に結合されてよい。外壁１０８は、頂壁１０２に結合されている上部１１０と、下部１１２と、内表面１１４と、外表面１１６と、を含んでよい。外壁１０８は、概ね環状を形成してよい。いくつかの実施形態では、外壁は、上部１１０よりも下部１１２において大きい外周部を有するように、先細であってよい。しかしながら、他の例では、外壁１０８の外周は、上部１１０よりも下部１１２においての方が小さくてよく、外周は、上部１１０及び下部１１２において実質的に同様であってよい。
【００２６】
オーバーキャップ装置１００はまた、オーバーキャップ装置１００の内側部分にキャップ係合壁１２０と、間隔保持壁１２２と、を含んでよい。キャップ係合壁１２０は、外壁１０８の内側に同心円状に位置付けられ、間隔保持壁１２２は、キャップ係合壁１２０の内側に同心円状に位置付けられる。
【００２７】
図１Ｂに、及び図４Ａ〜４Ｂに断面状に示すように、キャップ係合壁１２０は、頂壁１０２の内表面１０４から下方に延在する。キャップ係合壁１２０は、内表面１２４と、外表面１２６と、を有する。あるいは、他の実施形態では、キャップ係合壁１２０は、外壁１０８の内表面１１４及びキャップ係合壁１２０の外表面１２６を省略するように、外壁１０８と一体であってよい、又は外壁１０８まで延在してよい。図１Ｂに示すように、キャップ係合壁１２０は連続壁であってよいが、他の実施形態では、キャップ係合壁１２０は複数の壁部を備えてよい。以下で詳述するように、キャップ係合壁１２０の内表面１２４は、キャップ２００を係合するように構成されている。
【００２８】
図１Ｂに示すように、間隔保持壁１２２は、頂壁１０２の内表面１０４から下方に延在する、連続的な環状壁であってよい。他の実施形態では、間隔保持壁１２２は、頂壁１０２の内表面１０４から下方に延在する複数の壁部を備えてよい。更に他の実施形態では、間隔保持壁１２２は、一連のペグ、又は他の類似の装置を含んでよい。以下で詳述するように、間隔保持壁１２２は、キャップ２００がオーバーキャップ装置１００と係合するときに、キャップ２００を係合する下端部１２８を有してよい。以下でより詳述するように、間隔保持壁１２２は、キャップ２００の外周を係合し、キャップ２００からある距離を空けて頂壁１０２の内表面１０４を配置するように有利に構成されてよい。これにより、キャップ２００の中心部分が隆起する余地をもたらしてよい。間隔保持壁１２２は、約２．５ｍｍ、又は約１．５ｍｍ〜約３．５ｍｍの範囲である、下端部１２８と頂壁１０２の内表面１０４との間の高さを有してよい。
【００２９】
オーバーキャップ装置１００は、例えば、プラスチック（ポリエチレンなど）など任意の好適な材料で製造されてよい。オーバーキャップ装置１００は、例えば、射出成形など任意の好適な方法を使用して製造され得る。
【００３０】
ここで図２Ａ及び２Ｂを参照すると、キャップ２００は、頂壁２０２と、頂壁２０２の外周から下方に延在する環状壁２０４と、を含んでよい。キャップ２００の環状壁２０４は、容器３００を係合するように構成されてよいねじ山２０８を有する内表面２０６を有してよい。キャップ２００の環状壁２０４はまた、キャップ係合壁１２０の内表面１２４を係合するように構成されてよい外表面２１０を含んでよい。キャップ２００の環状壁２０４はまた、タンパーエビデントバンド２１４に動作可能に取り付けられてよい下端部２１２を有してよい。図４Ａ及び４Ｂに示すように、キャップ２００はまた、内環状壁２１８を含んでよく、内環状壁２１８は、容器３００から流体が漏出しないように助けてよい。いくつかの実施形態では、キャップ２００はまた、１つ以上のガスケットを含んでよく、ガスケットは、容器３００から流体が漏出しないように更に助けてよい。
【００３１】
上述したように、オーバーキャップ装置１００及びキャップ２００は共に係合してよい。いくつかの実施形態では、オーバーキャップ装置１００及びキャップ２００は、圧入機構又はスナップ嵌め機構によって共に係合してよい。図４Ａ及び４Ｂに主として示すように、オーバーキャップ装置１００及びキャップ２００は、補完的なスナップ嵌め機構を含む。図４Ａ及び４Ｂに示すように、キャップ係合壁１２０の内表面１２４は、隆起リング１３０を含んでよい。オーバーキャップ装置１００及びキャップ２００が共に押し付けられるとき、隆起リング１３０は、キャップ２００の下端部２１２の下方を通って、キャップ２００及びオーバーキャップ１００を共に固定してよい。更に他の例では、図４Ａ及び４Ｂに示すように、キャップ２００はまた、隆起リング２２０を含んでよく、隆起リング２２０は、キャップ係合壁１２０の内表面１２４にある凹入リング（indented ring）１３２を係合するように構成されてよい。いくつかの実施形態では、キャップ２００の下端部２１２とキャップ２００の頂壁２０２の外表面との間の距離は、オーバーキャップ装置１００の間隔保持壁１２２の下端部１２８とオーバーキャップ装置１００を超える隆起リング１３０との間の距離と実質的に同様であってよい。いくつかの実施形態では、オーバーキャップ装置１００及びキャップ２００は、オーバーキャップ装置１００及びキャップ２００が係合すると、オーバーキャップ装置１００及び／又は２００を破壊するか、屈曲させなければ係合を解除できないように、着脱不能に係合してよい。
【００３２】
オーバーキャップ装置１００及び／又はキャップ２００はまた、オーバーキャップ装置１００の回転によりキャップ２００も回転するように、共に回転固定されてよい。図１Ｂに示すように、キャップ係合壁１２０の内表面１２４は、一連の隆起部１３４を含んでよい。同様に、キャップ２００の環状壁２０４の外表面２１０はまた、隆起部２１６を含んでよい。オーバーキャップ装置１００及びキャップ２００が共に係合すると、対応する隆起部１３４、２１６は、オーバーキャップ装置１００及びキャップ２００を共に回転固定するように作用してよい。他の実施形態では、他の装置及び／又は表面処理を使用して、キャップ２００及びオーバーキャップ１００を共に回転固定してよい。
【００３３】
キャップ２００は、例えば、プラスチック（ポリエチレンなど）など任意の好適な材料で製造されてよい。加えて、キャップ２００は、例えば、射出成形など任意の好適な方法を使用して製造され得る。
【００３４】
ここで、容器３００を示す図３Ａ及び３Ｂを参照する。容器３００は、首部３０２及び容器本体３０４を画定してよい。首部３０２は、開口部３０８を形成する上端部３０６を更に画定してよい。容器首部３０２は、上端部３０６において始まり、容器首部３０２の下方に任意の所望の長さ延在してよいねじ山３１０を含んでよい。容器首部３０２のねじ山３１０は、キャップ２００のねじ山２０８を係合するように構成されており、キャップ２００（オーバーキャップ装置１００を含む）は、容器３００と回転可能かつ取り外し可能に係合してよい。
【００３５】
オーバーキャップ装置１００の外壁１０８は、キャップ２００（オーバーキャップ装置１００を含む）が容器３００と係合するときに、容器の本体３０４に隣接するように構成されてよい。いくつかの実施形態では、図４Ａ及び４Ｂに示すように、容器本体３０４は、容器３００の周りを環状に延在してよく、隆起部３１４を形成してよい凹部又はテーパ部３１２を有してよい。キャップ２００（オーバーキャップ装置１００を含む）が容器３００と係合すると、外壁１０８の下部１１２は、凹部又はテーパ部３１２に隣接する隆起部３１４に隣接してよい。これにより、外壁１０８の外表面１１６と容器本体３００との間に実質的に平滑な移行部が形成されてよく、オーバーキャップ装置１００は、実質的に容器本体３０４を超えて延在しない。
【００３６】
オーバーキャップ装置１００の外壁１０２の外表面１１６は、容器３００からのキャップ２００（オーバーキャップ装置１００を含む）の取り外しを容易にする任意の好適な構成を画定してよいと考えられる。例えば、外表面１１６は、図１Ａ及び１Ｂに示すように平滑であってよい。あるいは、外壁１０２の外表面１１６はざらざらであってよい。例えば、外壁１０２の外表面１１６は、容器３００からのキャップ２００（オーバーキャップ装置１００を含む）の取り外しを容易にする複数の隆起部又は把持要素を画定してよい。
【００３７】
容器３００は、ガラス又はプラスチックなど、飲料を収容するための任意の好適な材料で製造されてよい。
【００３８】
炭酸飲料など飲料が容器３００に入れられ、キャップ２００が係合されると、容器３００の内側の圧力は、容器３００の外側よりも高くてよい。これにより、容器３００及び／又はキャップ２００の一部の隆起が生じ得る。隆起し得る部分２２２はキャップ２００である。上述したように、間隔保持壁１２２は、キャップを隆起可能にし得る。間隔保持壁１２２は、キャップ２００の１つ以上の外側部分２２４を係合してよい。これにより、キャップ２００の中心部分２２６が、キャップ２００が頂壁１０２の内表面１０４に接触しないように有利に隆起可能になる。
【００３９】
図の実施形態を参照して本発明を説明し、示してきたが、本発明の特徴は、本発明の趣旨を著しく逸脱することなく、修正、一部変更、変更、又は置き換えを受け入れることを理解されたい。例えば、様々な構成要素の寸法、数値、サイズ、及び形状は、特定の用途に適合するように変更されてよい。したがって、本明細書に示し、説明した特定の実施形態は、説明のみを目的としたものであり、以下の「特許請求の範囲」及びそれらの等価物以外によって限定されない。
【００４０】
尚、本明細書で参照する「いくつかの実施形態」、「一実施形態」、「例示的実施形態」、又は「類似語句」は、記載された実施形態が特定の性質、構造、又は特性を包含してよいが、全ての実施形態が特定の性質、構造、又は特性を包含する必要性がないことを示す。更に、このような語句は必ずしも同一の実施形態を意味しない。尚、一実施形態に関連して特定の性質、構造、又は特性について記載する場合、本明細書で明確に言及されている又は記載されているかどうかに関わりなく、このような性質、構造、又は特性をその他の実施形態に組み込むことは、当業者の知見内である。
【図１Ａ】
2018527263.tif 000003
【図１Ｂ】
2018527263.tif 000004
【図２Ａ】
2018527263.tif 000005
【図２Ｂ】
2018527263.tif 000006
【図３Ａ】
2018527263.tif 000007
【図３Ｂ】
2018527263.tif 000008
【図４Ａ】
2018527263.tif 000009
【図４Ｂ】
2018527263.tif 000010
【国際調査報告】
2018527263.tif 000011